(57)【要約】      （修正有）【課題】特に、伸縮性、防水効果、及び通気性に優れた医療用防水通気手袋を提供する。【解決手段】手の形状を呈する一体成形の中空の軟性袋状部材であり、掌部と、それぞれ掌部に連結される５つの指部と、掌部に形成される開口部と、着用空間１４とを有する。ラテックス本体１０１と、ラテックス本体１０１の裏側に結合される接着面１０２と、接着面１０２に結合されると共に、着用空間１４に面する通気膜１０３とを有する。【選択図】図２
0003190027.tif 000002
【実用新案登録請求の範囲】
【請求項１】
手の形状を呈する一体成形の中空の軟性袋状部材であり、掌部と、それぞれ該掌部に連結される５つの指部と、該掌部に形成される開口部と、着用空間とを有する医療用防水通気手袋であって、
前記医療用防水通気手袋は、ラテックス本体と、該ラテックス本体の裏側に結合される接着面と、該接着面に結合されると共に、前記着用空間に面する通気膜とを有することを特徴とする医療用防水通気手袋。
【請求項２】
前記通気膜に複数の繊毛が形成されることを特徴とする請求項１に記載の医療用防水通気手袋。
【請求項３】
前記通気膜が熱可塑性ポリウレタンからなることを特徴とする請求項１または請求項２に記載の医療用防水通気手袋。
【請求項４】
前記通気膜が低タンパク天然ゴムからなることを特徴とする請求項１または請求項２に記載の医療用防水通気手袋。
【考案の詳細な説明】
【技術分野】
【０００１】
本考案は、特に医療用防水通気手袋に関するものである。
【背景技術】
【０００２】
一般に医療用手袋は、伸縮性、柔軟性、密着性、及び防水性に優れたものが好ましい。図３に示すように、従来のラテックス手袋９０は、手の形状を呈するラテックス層９１からなる一体成形の中空の軟性袋状部材である。
【考案の概要】
【考案が解決しようとする課題】
【０００３】
しかしながら、従来のラテックス手袋９０は、通気性のない防水材による構成からなることから、着用時に裏側表面が使用者の手にべったりと吸い付いてしまうので、使用者に不快感を与えるとともに、着用上非常に不便であった。また、長時間に亘り着用すると、手からの汗や熱などが排出できないので、使用者の疲労度や作業効率に悪影響を与えてしまう。更に、この従来のラテックス手袋９０は非常に薄いことから、低周波または高周波電気メスでオペを行う場合、医療者の手に溜まった湿気や汗が漏電または感電に繋がるので、複数の従来のラテックス手袋９０を重ねて着用する必要があったが、このように、複数の従来のラテックス手袋９０を重ねて着用すると、返って前記着用時の不便さがより増すと共に、通気性の欠如による発汗を助長してしまう。
【０００４】
そこで案出されたのが本考案であって、従来のラテックス手袋における着用時の不便さや、通気性の欠如、感電を起こしやすいとの問題を解決するための、伸縮性、防水性、及び通気性に優れた医療用防水通気手袋を提供することを目的とし、本考案に係る医療用防水通気手袋によれば、ラテックス本体と、該ラテックス本体の裏側に設けられる通気性を持つ通気膜とを有する構成により、従来のラテックス手袋の欠点を改善して着用時の利便性を向上できる共に、オペなどの操作をよりスムーズに行うことができる。
【課題を解決するための手段】
【０００５】
本願の請求項１の考案は、手の形状を呈する一体成形の中空の軟性袋状部材であり、掌部と、それぞれ該掌部に連結される５つの指部と、該掌部に形成される開口部と、着用空間とを有する医療用防水通気手袋であって、
前記医療用防水通気手袋は、ラテックス本体と、該ラテックス本体の裏側に結合される接着面と、該接着面に結合されると共に、前記着用空間に面する通気膜とを有することを特徴とする医療用防水通気手袋、を提供する。
【０００６】
本願の請求項２の考案は、前記通気膜に複数の繊毛が形成されることを特徴とする請求項１に記載の医療用防水通気手袋、を提供する。
【０００７】
本願の請求項３の考案は、前記通気膜が熱可塑性ポリウレタンからなることを特徴とする請求項１または請求項２に記載の医療用防水通気手袋、を提供する。
【０００８】
本願の請求項４の考案は、前記通気膜が低タンパク天然ゴムからなることを特徴とする請求項１または請求項２に記載の医療用防水通気手袋、を提供する。
【考案の効果】
【０００９】
本考案は上記の課題を解決するものであり、以下に示すような効果が得られる。
【００１０】
１．本考案に係る医療用防水通気手袋は、ラテックス本体と通気膜とからなる積層構造を有することから、伸縮性、柔軟性、密着性、及び防水性を提供できると共に、該通気膜による好適な通気効果により、湿熱や、発汗による問題を解決して着用感を大幅に向上させることができる。
【００１１】
２．本考案に係る医療用防水通気手袋は、裏側に通気膜が設けられる設計であることから、手袋が必要以上に人の手に吸い付くことを防止するので、手袋の着用時の不快感を解消すると共に、脱着時の利便性も向上する。
【００１２】
３．本考案に係る医療用防水通気手袋の積層構造は、適度な厚みを有することから、低周波または高周波電気メスでオペを行う時、操作をよりスムーズに行うことができると共に、漏電や感電による問題を防ぐことができる。
【図面の簡単な説明】
【００１３】
【図１】本考案に係る医療用防水通気手袋の斜視図である。
【図２】本考案に係る医療用防水通気手袋の部分断面図である。
【図３】従来の医療用防水手袋の斜視図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１及び図２に示すように、本考案の実施例に係る医療用防水通気手袋１０は、手の形状に対応する一体化した中空の軟性袋状部材である。該手袋１０は、人の手の部位に対応し、掌部１１と、それぞれ該掌部１１に連結される５つの指部１２と、該掌部１１に形成される開口部１３と、着用空間１４とを有する。使用する時、手を前記開口部１３を通して前記着用空間１４に入れて着用する。
【００１６】
本考案に係る医療用防水通気手袋１０は、ラテックス材料を成形してなるラテックス本体１０１と、該ラテックス本体１０１の裏側に結合される接着面１０２と、該接着面１０２に結合されると共に、前記着用空間１４に面する通気膜１０３とを有する積層構造からなり、該通気膜１０３は、通気性、防水性、及び伸縮性を有する材料からなるものである。尚、前記通気膜１０３に複数の繊毛が形成されると共に、該通気膜１０３は、通気性を有する熱可塑性ポリウレタン（Thermoplastic Polyurethane、ＴＰＵ）、または、皮膚アレルギーによる不快感を低減する低タンパク天然ゴムからなるものであってもよい。
【産業上の利用可能性】
【００１７】
本考案に係る医療用防水通気手袋１０は、ラテックス本体１０１と、接着面１０２と、通気膜１０３とを有する積層構造を備えるので、該ラテックス本体１０１による伸縮性、柔軟性、密着性および防水性、及び該通気膜１０３による良好な通気性を有し、これにより、湿熱や発汗による問題を解消できるので、着用感や脱着時の利便性が大幅に向上する。また、本考案に係る医療用防水通気手袋１０の積層構造は、適度な厚みを有すると共に、裏側に通気膜が設けられることから、低周波または高周波電気メスでオペを行う時、操作をよりスムーズに行うことができると共に、漏電や感電による問題を防ぐことができる。
【符号の説明】
【００１８】
１０    手袋
１０１  ラテックス本体
１０２  接着面
１０３  通気膜
１１    掌部
１２    指部
１３    開口部
１４    着用空間
【図１】
0003190027.tif 000003
【図２】
0003190027.tif 000004
【図３】
0003190027.tif 000005